【手続補正書】
【提出日】平成17年11月22日(2005.11.22)
【手続補正１】
【補正対象書類名】明細書
【補正対象項目名】特許請求の範囲
【補正方法】変更
【補正の内容】
【特許請求の範囲】
【請求項１】  パラフィン系炭化水素、および場合によってはナフテン系炭化水素、芳香族炭化水素および／またはオレフィン系炭化水素を含むＣ５〜Ｃ８軽質留分あるいはＣ５〜Ｃ７、Ｃ６〜Ｃ８、Ｃ７〜Ｃ８、Ｃ６〜Ｃ７、Ｃ７またはＣ８のような中間留分の分離方法において、直列状に配置された少なくとも２つの分離装置が用いられ、各々、直鎖状パラフィンに富む流出物と、１分枝パラフィンに富む流出物と、２分枝パラフィン、３分枝パラフィンおよび場合によってはナフテン系化合物および／または芳香族化合物に富む流出物との３つの流出物を得るようにすることを特徴とする、分離方法。
【請求項２】  仕込原料を、第一分離装置内に搬送し、この装置内で、分枝状パラフィンから直鎖状パラフィンが分離され、前記装置は脱直鎖状パラフィン化仕込原料を生成し、この仕込原料は第二分離装置に搬送され、この第二分離装置内で、一方では１分枝パラフィンと、他方では多分枝パラフィンおよび場合によってはナフテン系化合物および／または芳香族化合物とに分離されることを特徴とする、請求項１記載の方法。
【請求項３】  仕込原料を、第一分離装置内に搬送し、この装置内で、一方では多分枝パラフィンおよび場合によってはナフテン系化合物および／または芳香族化合物と、他方では直鎖状および１分枝パラフィンとが分離され、これら直鎖状および１分枝パラフィンは、第二分離装置に搬送され、この第二分離装置内で、２つの流出物に分離され、一方は１分枝パラフィンに富む流出物であり、他方は直鎖状パラフィンに富む流出物であることを特徴とする、請求項１記載の方法。
【請求項４】  仕込原料がＣ５留分を含み、この留分から来るイソペンタンが１分枝パラフィンと共に分離されることを特徴とする、請求項１〜３のいずれか１項記載の方法。
【請求項５】  仕込原料がＣ５留分を含み、この留分から来るイソペンタンが、１つ（または複数）の前記分離装置の上流に配置される脱イソペンタン塔により、プロセスを通過する流から取り去られることを特徴とする、請求項１〜３のいずれか１項記載の方法。
【請求項６】  仕込原料がＣ５留分を含み、この留分から来るイソペンタンが、複数の前記分離装置の下流に配置される脱イソペンタン塔により、プロセスを通過する流から取り去られることを特徴とする、請求項１〜３のいずれか１項記載の方法。
【請求項７】  吸着により作用する少なくとも２つの分離装置が使用されることを特徴とする、請求項１〜６のいずれか１項記載の方法。
【請求項８】  吸着により作用する少なくとも１つの分離装置と、１つまたは複数の膜を用いる透過による少なくとも１つの分離装置とが使用されることを特徴とする、請求項１〜６のいずれか１項記載の方法。
【請求項９】  取り去られたイソペンタンが、吸着による１つ（または複数）の分離装置の再生用溶離剤として役立つことを特徴とする、請求項７または８記載の方法。
【請求項１０】  １つまたは複数の膜を用いる透過による少なくとも２つの分離装置が使用されることを特徴とする、請求項１〜６のいずれか１項記載の方法。
【請求項１１】  取り去られたイソペンタンが透過による１つ（または複数）の分離装置の再生用掃気ガスとして役立つことを特徴とする、請求項１０記載の方法。
【請求項１２】  仕込原料が常圧蒸留により生じることを特徴とする、請求項１〜１１のいずれか１項記載の方法。
【請求項１３】  仕込原料が、リフォーミング装置により生じる、例えば軽質リフォーマット（改質ガソリン）であることを特徴とする、請求項１〜１１のいずれか１項記載の方法。
【請求項１４】  仕込原料が、転換装置により生じる、例えば水素化クラッキング・ナフサであることを特徴とする、請求項１〜１１のいずれか１項記載の方法。
【手続補正２】
【補正対象書類名】明細書
【補正対象項目名】０００２
【補正方法】変更
【補正の内容】
【０００２】
この方法の仕込原料が、Ｃ５留分を含む場合には、この留分から来るイソペンタンは、本発明による方法により１分枝パラフィンと共に分離されるか、あるいは種々の分離装置の上流および／または下流に配置される少なくとも１つの脱イソペンタン塔により、プロセスを通過する流れから取り去られる。後者の場合、イソペンタンは、吸着または透過による各々の分離装置内において溶離剤または掃気ガスとして役立つものである。
【手続補正３】
【補正対象書類名】明細書
【補正対象項目名】００３３
【補正方法】変更
【補正の内容】
【００３３】
仕込原料の流れ(1) から直鎖状パラフィンの流れ(4) の分離（装置(2) 、バージョン(I) ）、あるいは１分枝パラフィンの流れ(16)から同じ直鎖状パラフィンの流れ(14)の分離（装置(2) 、バージョン(II)）の枠内において、直鎖状パラフィンの吸着を可能にするために十分でありかつより大きなサイズの分子、例えば１分枝パラフィン、多分枝パラフィン、ナフテン化合物および／または芳香族化合物を除外する細孔サイズを有する吸着剤が使用される。特に適切なゼオライトは、米国特許２，８８２，２４３号に記載されているＡ型ゼオライトである。このＡ型ゼオライトは、特にカルシウム形態下にそのカチオン交換された形態の大部分が５オングストローム程度の細孔直径を示しかつ直鎖状パラフィンを吸着するための強い吸着能を有する。用語「細孔直径」は、当業者には慣用的なものである。これは、細孔内に入ることのできる分子サイズとして細孔サイズを機能的に定義するために使用される。これは、細孔の実際の大きさを示さない。何故なら実際の大きさは、多くの場合不規則形態（すなわち非円形状）であるので、多くの場合測定するのが困難であるからである。D.W.Breck は、「Zeolite Molecular Sieves」（１９７４年、ニューヨーク、John Wiley and Sons ）と題された本の中において有効な細孔直径についての論議を６３３〜６４１頁に提供している。例えばゼオライトＲ（米国特許３，０３０，１８１号）、ゼオライトＴ（米国特許２，９５０，９５２号）、シリコアルミノリン酸塩およびアルミノリン酸塩（米国特許４４４０８７１号、米国特許４３１０４４０号および米国特許４５６７０２７号）、並びに天然ゼオライト、例えばクリノプチロライト(clinoptilolite)、チャバザイト(chabazite) およびエリオナイト(erionite)が、バージョン(I) およびバージョン(II)の装置(2) において実施される分離を行うのに適するものである。最後に、内部での異性体の異なる分散特性が使用されるので、モレキュラーシーブ、例えばフェリエライト(ferrierite)（米国特許４，８０４，８０２号および米国特許４，７１７，７８４号）、ゼオライトＺＳＭ−５（米国特許３，７０２，８８６号）、ＺＳＭ−１１（米国特許４
，１０８，８８１号）、ＺＳＭ−２３（米国特許４，０７６，８４２号）、ＺＳＭ−３５（米国特許４，０１６，２４５号）およびシリカライト（米国特許５，０５５，６３３号）の使用もまたバージョン(I) およびバージョン(II)の装置(2) において行われる分離に全面的に適用される。これらシーブの各々の上での直鎖状パラフィンの吸着の詳細は、当業者に公知であり、従って、さらなる詳細な説明の対象とはならない。
【手続補正４】
【補正対象書類名】明細書
【補正対象項目名】００３８
【補正方法】変更
【補正の内容】
【００３８】
選択性層は、例えば国際特許出願WO-A- ９６／０１６８７およびWO-A- ９３／１９８４０に記載されているように、このように構成された膜の機械抵抗を確実にする透過性担体上に担持されてよい。
好ましくは、選択性層は、ヨーロッパ特許出願ＥＰ−Ａ−７７８０７５およびＥＰ−Ａ−７７８０７６に記載されているように、微細孔質担体からのゼオライトの結晶の増加により作製される。
【手続補正５】
【補正対象書類名】明細書
【補正対象項目名】００４４
【補正方法】変更
【補正の内容】
【００４４】
この方法の仕込原料がＣ５留分を含む場合には、この留分から来るイソペンタンは、１分枝パラフィンと共にこの方法により分離されるか、あるいは脱イソペンタン塔によりプロセスを通過する流れから取り去られてよい。この脱イソペンタン塔は、バージョン(I) については仕込原料の流れ(1) 上か、または流れ(5) もしくは流れ (6)上に配置されてよく、あるいはバージョン(II)については流れ(1) 、流れ(15)または流れ(16)上に配置されてよい。このように分離されたイソペンタンは、吸着によるかまたは透過による分離方法に関して各々溶離剤または掃気ガスとして役立つものであるので、そのような使用により、この方法の流れの管理を最大限利用することが可能になる。一方では流れ(6) 上（バージョン(I) ）、および他方では流れ(15)および流れ(16)上（バージョン(II)）に夫々脱イソペンタン塔を配置することにより、イソペンタンは、好ましくは分離区域の運転条件下に１分枝化合物と共に分離され、多分枝化合物と共には分離されない。従って、脱イソペンタン化を含む本発明は、米国特許５，０５５，６３３号および米国特許５，０５５，６３４号に結び付く発明から明らかに区別される。